(57)【特許請求の範囲】
【請求項１】
配線孔を有する被取付体に設けられ、配線孔を閉塞及び開放する配線カバー装置であって、
前記配線孔を閉塞可能な閉塞面を有する蓋部を有するカバー部材と、
前記カバー部材を、前記配線孔を閉塞する閉塞位置、前記閉塞位置に対して鉛直方向上方の中間位置、及び前記被取付体の表面に沿って伏した状態で前記配線孔を開放する開放位置の間で水平方向に移動させる移動機構と、を備えることを特徴とする配線カバー装置。
【請求項２】
前記移動機構は、
前記配線孔を閉塞する閉塞位置から前記配線孔の外側に向かう方向に延在する案内溝が設けられた支持壁と、
前記カバー部材に接続され、前記案内溝に摺動可能に挿通される摺動部と、を備え、
前記カバー部材は、前記摺動部が前記案内溝に沿って摺動することによって、前記閉塞位置、前記中間位置及び前記被取付体の表面に沿って伏した状態で前記配線孔を開放する開放位置の間で移動する請求項１に記載の配線カバー装置。
【請求項３】
前記案内溝は、前記蓋部が前記閉塞位置にあるときに前記摺動部が位置する一方の端部から、前記蓋部が前記開放位置にあるときに前記摺動部が位置する他方の端部に向かうに伴い、鉛直方向上方に位置する
請求項２に記載の配線カバー装置。
【請求項４】
一方の端部が前記支持壁に支持され、他方の端部が前記カバー部材に接続された回動アームを備える
請求項２又は３に記載の配線カバー装置。
【請求項５】
前記配線孔に対して１対の前記カバー部材が設けられるとともに、
前記支持壁には、前記配線孔側からその反対側に向かう方向に延在する第１案内溝と、前記閉塞位置から前記配線孔の外側へ向かう方向に延在する案内溝である１対の第２案内溝が設けられ、
前記第１案内溝を摺動する第１摺動部と、
前記第２案内溝を摺動する前記摺動部であって、一方の前記第２案内溝を摺動するとともに一方の前記カバー部材に接続される第２摺動部、及び他方の前記第２案内溝を摺動するとともに他方の前記カバー部材に接続される第２摺動部と、
一方の端部が前記第１摺動部に支持され、他方の端部が前記第２摺動部に支持されるアームであって、前記カバー部材毎に設けられた１対の摺動アームと、を備え、
前記１対の摺動アームの端部は、前記第１摺動部に共通して支持される
請求項２〜４のいずれか１項に記載の配線カバー装置。
【請求項６】
配線孔が形成された天板と、
前記配線孔に設けられた配線カバー装置とを備え、
前記配線カバー装置は、
前記配線孔を閉塞可能な閉塞面を有する蓋部を有するカバー部材と、
前記カバー部材を、前記配線孔を閉塞する閉塞位置、前記閉塞位置に対して鉛直方向上方の中間位置、及び前記天板の表面に沿って伏した状態で前記配線孔を開放する開放位置の間で水平方向に移動させる移動機構と、を備えることを特徴とする机。
【発明の詳細な説明】
【技術分野】
【０００１】
本発明は、配線用の開口部を閉塞及び開放することが可能な配線カバー装置及び机に関する。
【背景技術】
【０００２】
例えば机には、コンピュータなどの電子機器に接続するケーブルを挿通するための配線孔が設けられているものがある。この配線孔を閉塞及び開放が可能なカバーとして、ケーブル等を収容できる収容部と、ユーザの操作により配線孔を開閉可能なカバー部材とを備えた配線カバー装置が知られている。
【０００３】
この種の配線カバー装置として、カバー部材である蓋を天板に対して垂直に起立させて開口部を開放する装置が提案されている（例えば、特許文献１参照）。
【先行技術文献】
【特許文献】
【０００４】
【特許文献１】特開２０１３−１０３０３８号公報
【発明の概要】
【発明が解決しようとする課題】
【０００５】
しかし、上記の配線カバー装置のように、蓋を起立させるものは、装置内に手を差し込んで配線作業を行うとき等に起立した蓋が邪魔になる。また、配線カバー装置へケーブルを延ばす場合には、起立させた蓋を避けてケーブルを延ばすか、起立させた蓋を乗り越えるようにケーブルを延ばさなければならない。そのため、ユーザの使い勝手について改善の余地がある。
【０００６】
本発明は、上記問題点を解決するためになされたものであり、その目的は、ユーザの使い勝手を向上することのできる配線カバー装置及び机を提供することにある。
【課題を解決するための手段】
【０００７】
上記課題を解決する配線カバー装置は、配線孔を有する被取付体に設けられ、配線孔を閉塞及び開放する配線カバー装置であって、前記配線孔を閉塞可能な閉塞面を有する蓋部を有するカバー部材と、前記カバー部材を、前記配線孔を閉塞する閉塞位置、及び前記被取付体の表面に沿って伏した状態で前記配線孔を開放する開放位置との間で移動させる移動機構と、を備える。
【０００８】
上記課題を解決する机は、配線孔が形成された天板と、前記配線孔に設けられた配線カバー装置とを備え、前記配線カバー装置は、前記配線孔を閉塞可能な閉塞面を有する蓋部を有するカバー部材と、前記カバー部材を、前記配線孔を閉塞する閉塞位置、及び前記天板の表面に沿って伏した状態で前記配線孔を開放する開放位置との間で移動させる移動機構と、を備える。
【０００９】
上記構成では、移動機構により、閉塞位置に配置された蓋部が水平方向に移動して開放位置に移動される。開放位置に配置された蓋部は、被取付体に付した状態となる。例えば、配線カバー装置が、被取付体である机の天板に設けられた場合には、蓋部の閉塞面が天板に当接し、天板に沿って配置された状態となる。したがって、開放位置に配置された蓋部が起立しないため、収容空間に手を差し込みやすくなるとともに、開口部の外側で伏した状態の蓋部に沿ってケーブルを配線することができる。そのため、ユーザの使い勝手を向上させることができる。
【００１０】
上記配線カバー装置について、前記移動機構は、前記配線孔を閉塞する閉塞位置から前記配線孔の外側に向かう方向に延在する案内溝が設けられた支持壁と、前記カバー部材に接続され、前記案内溝に摺動可能に挿通される摺動部と、を備え、前記カバー部材は、前記摺動部が前記案内溝に沿って摺動することによって、前記閉塞位置、及び前記被取付体の表面に沿って伏した状態で前記配線孔を開放する開放位置との間で移動することが好ましい。
【００１１】
上記構成では、閉塞位置に配置された蓋部に対し外力が加えられることによって、支持アームに支持された摺動部が、閉塞位置から開口部の外側の開放位置に向かう方向に延在する案内溝に沿って摺動する。これにより、閉塞位置に配置された蓋部が水平方向に移動して開放位置に移動される。開放位置に配置された蓋部は、被取付体に付した状態となる。例えば、配線カバー装置が、被取付体である机の天板に設けられた場合には、蓋部の閉塞面が天板に当接し、天板に沿って配置された状態となる。したがって、開放位置に配置された蓋部が起立しないため、収容空間に手を差し込みやすくなるとともに、開口部の外側で伏した状態の蓋部に沿ってケーブルを配線することができる。そのため、ユーザの使い勝手を向上させることができる。
【００１２】
上記配線カバー装置について、前記案内溝は、前記蓋部が前記閉塞位置にあるときに前記摺動部が位置する一方の端部から、前記蓋部が前記開放位置にあるときに前記摺動部が位置する他方の端部に向かうに伴い、鉛直方向上方に位置することが好ましい。
【００１３】
上記構成では、案内溝は、蓋部が閉塞位置にあるときの一方の端部から、蓋部が開放位置にあるときの他方の端部に向かうに伴い鉛直方向に位置するように、斜め上方に延在する。そのため、配線カバー装置を机の天板に取り付けたとき、閉塞位置に配置された蓋部と天板の表面とを同一の高さになるようにしても、蓋部を天板に当接しないように移動させることができる。
【００１４】
上記配線カバー装置について、一方の端部が前記支持壁に支持され、他方の端部が前記カバー部材に接続された回動アームを備えることが好ましい。
上記構成では、回動アームは支持壁に支持されているので、カバー部材の閉塞位置及び開放位置の間の移動を安定させることができる。
【００１５】
上記配線カバー装置について、前記配線孔に対して１対の前記カバー部材が設けられるとともに、前記支持壁には、前記配線孔側からその反対側に向かう方向に延在する第１案内溝と、前記閉塞位置から前記配線孔の外側へ向かう方向に延在する案内溝である１対の第２案内溝が設けられ、前記第１案内溝を摺動する第１摺動部と、前記第２案内溝を摺動する前記摺動部であって、一方の前記第２案内溝を摺動するとともに一方の前記カバー部材に接続される第２摺動部、及び他方の前記第２案内溝を摺動するとともに他方の前記カバー部材に接続される第２摺動部と、一方の端部が前記第１摺動部に支持され、他方の端部が前記第２摺動部に支持されるアームであって、前記カバー部材毎に設けられた１対の摺動アームと、を備え、前記１対の摺動アームの端部は、前記第１摺動部に共通して支持されることが好ましい。
【００１６】
上記構成では、一対のカバー部材は第１摺動部を介して連結されているため、一方のカバー部材に対してのみ外力が加えられた場合であっても、他方のカバー部材を従動させることができる。
【発明の効果】
【００１７】
本発明にかかる配線カバー装置及び机によれば、ユーザの使い勝手を向上することができる。
【図面の簡単な説明】
【００１８】
【図１】配線カバー装置の一実施形態について、配線カバー装置が適用されたテーブルの全体構成であって蓋部が閉塞位置にある状態を説明する斜視図。
【図２】同実施形態のテーブルについて、蓋部が開放位置にある状態を示す斜視図。
【図３】同実施形態の配線カバー装置の収容部を説明する分解斜視図。
【図４】同実施形態の配線カバー装置のカバー部材を説明する斜視図。
【図５】同実施形態の配線カバー装置の正面図。
【図６】同実施形態の配線カバー装置であって、蓋部が閉塞位置にある状態を説明する図。
【図７】同実施形態の配線カバー装置であって、蓋部が閉塞位置と開放位置との間にある状態を説明する図。
【図８】同実施形態の配線カバー装置であって、蓋部が開放位置にある状態を説明する図。
【図９】配線カバー装置の他の実施形態について、蓋部が閉塞位置にある状態を説明する図。
【図１０】配線カバー装置の他の実施形態について、蓋部が開放位置にある状態を説明する図。
【発明を実施するための形態】
【００１９】
以下、配線カバー装置をテーブルに適用した一実施形態を説明する。
図１に示すように、テーブル１０は、４本の柱状の脚部１１と、脚部１１によって支持される被取付体としての天板１２とを備えている。天板１２の中央部には、天板１２を貫通する配線孔１３が形成されている。配線孔１３には開口部を備えた配線カバー装置２０が設けられている。
【００２０】
配線カバー装置２０には、１対のカバー部材３０が設けられている。カバー部材３０は、板状の蓋部５０を備えている。カバー部材３０は、蓋部５０の閉塞面が配線カバー装置２０の開口部を閉塞する閉塞位置（図１参照）と、蓋部５０が開口部の開口面積を最大とする開放位置（図２参照）との間で移動する。閉塞位置に配置された１対の蓋部５０の間には、配線カバー装置２０の内部からケーブルを引き出すことが可能な大きさの隙間が設けられている。また、配線カバー装置２０には、天板１２の下方において配線カバー装置２０からケーブルを引き出すための孔部２２が設けられている。
【００２１】
図２に示すように、開放位置に配置された一対の蓋部５０は、配線孔１３の外側であってその両側に配置されている。開放位置の蓋部５０は、その閉塞面が天板１２の表面に当接し、天板１２によって支持されている。また、一対の蓋部５０が開放位置に配置されるとき、それらの間に設けられた開口は、ユーザが手を配線カバー装置２０内に差し込むことが可能な大きさである。
【００２２】
図３に示すように、配線カバー装置２０は、上部に開口部２１を有する箱状の収容部２３を備えている。収容部２３は、底部２４Ａ及び側壁部２４Ｂを有し、上側及び長手方向の両側が開放されたトレー２４と、トレー２４の両側を閉塞する支持壁としてのサイドカバー２５とを備えている。図３には、便宜上、トレー２４の一部、及び一方のサイドカバー２５のみを示している。収容部２３の内側に設けられた収容空間２３Ａには、例えば、電子機器に接続するケーブルや、当該ケーブルが接続される接続機器などが収容される。トレー２４の上端部には、水平方向であって収容部２３の内側へ向かう方向に延在する鍔部３９が形成されている。カバー部材３０が閉塞位置に配置されたとき、蓋部５０は鍔部３９によって支持される。
【００２３】
また、トレー２４の側壁部２４Ｂの内側には、第１緩衝部材２４Ｃが設けられている。第１緩衝部材２４Ｃは、ゴム、軟質の樹脂、発泡樹脂、繊維材等からなり、トレー２４の側壁部２４Ｂと蓋部５０を移動させる移動機構との当接による衝撃を緩和するものである。第１緩衝部材２４Ｃは、トレー２４の側壁部の両端に設けられている。第１緩衝部材２４Ｃは、図３では四角形状であるが、円形状等、他の形状でもよい。
【００２４】
トレー２４の底壁部には、円形状の孔部３４が設けられている。この孔部３４からは、収容部２３に収容された接続機器のケーブル等が引き出される。トレー２４の両端には、切り欠き部２６が設けられ、サイドカバー２５の下端には、切り欠き部２７が設けられている。トレー２４の切り欠き部２６及びサイドカバー２５の切り欠き部２７により、上述した孔部２２が区画される。
【００２５】
サイドカバー２５は、矩形状であって、その上端部にはフランジ部２８が設けられている。フランジ部２８を天板１２の裏面であって配線孔１３の縁に重ね、フランジ部２８に形成された締結孔２９に螺子などの取付部材を取り付けることによって、配線カバー装置２０が天板１２に固定される。
【００２６】
サイドカバー２５には、円形状の１対の貫通孔３３が形成されている。また、サイドカバー２５には、１つの第１溝２５Ａと、１対の第２溝２５Ｂとが形成されている。第１溝２５Ａは、鉛直方向に延在し、１対の貫通孔３３の間に設けられている。第２溝２５Ｂは、第１溝２５Ａ及び貫通孔３３の鉛直方向上方であって、第１溝２５Ａの両側に設けられている。第２溝２５Ｂは水平方向であって、カバー部材３０が並ぶ方向に延在している。また、第２溝２５Ｂは、第１溝２５Ａ側の始端から、その反対側の端部である終端に向かうに伴い鉛直方向上方に位置するように、斜め上方に延びている。
【００２７】
サイドカバー２５には、裏側から摺動板４９が取り付けられている。摺動板４９には、１つの第１案内溝３１と、１対の第２案内溝３２とが形成されている。第１案内溝３１及び第２案内溝３２の周囲には突条４９Ａが形成されている。第１案内溝３１は、サイドカバー２５の第１溝２５Ａの形状とほぼ同じ形状を有し、第２案内溝３２の各々は、サイドカバー２５の対応する第２溝２５Ｂとほぼ同じ形状を有している。第１案内溝３１に沿って設けられた突条４９Ａ及び第２案内溝３２に沿って設けられた突条４９Ａは、摺動板４９がサイドカバー２５に取り付けられた際に、第１溝２５Ａ及び第２溝２５Ｂに内嵌される。
【００２８】
次に図４を参照して移動機構を構成するカバー部材３０について説明する。１対のカバー部材３０は鏡面対象の形状を有している。図４には、便宜上、一方のカバー部材３０のみを示しているが、一対のカバー部材３０の構成は同様である。カバー部材３０は、蓋部５０と、蓋部５０に固定された蓋支持部３６とを備えている。蓋部５０は、鉛直方向上方からみて長方形状であって、その裏面が収容空間を覆う閉塞面５３として機能する。閉塞面５３であって蓋部５０の長手方向の両側には、第２緩衝部材５０Ａが設けられている。第２緩衝部材５０Ａは、蓋部５０と天板１２との当接による衝撃を緩和するものであり、繊維材、軟質の樹脂等からなり、薄く、耐摩擦性を有するものが好ましい。また、蓋部５０は、他方のカバー部材３０の蓋部５０に向かい合う端部に、収容空間２３Ａ側に折り曲げられた屈曲部５１を備えている。屈曲部５１は、蓋部５０のうち屈曲部５１を除く領域に対して９０度以下の角度で折り曲げられている。蓋支持部３６は、その長手方向の両端に１対の支持アーム３６Ａを備えている。
【００２９】
支持アーム３６Ａは、閉塞面５３のうち水平方向において屈曲部５１寄りの位置に設けられている。また、支持アーム３６Ａは、蓋部５０の屈曲部５１側に屈曲している。この支持アーム３６Ａには、移動機構を構成する回動アーム３７及び摺動アーム３５が連結されている。
【００３０】
回動アーム３７は、細長状の形状を有し、その一方の端部が回動軸４４によってサイドカバー２５に回動可能に取り付けられる。回動軸４４は、サイドカバー２５に螺子止めされた軸受内に設けられサイドカバー２５の貫通孔３３に挿通される。一つのサイドカバー２５に対して、鏡面対象な形状の１対の回動アーム３７が取り付けられる。また、回動アーム３７の長手方向の中央部には、嵌合孔４７Ａを有する当接部４７が設けられている。本実施形態では、当接部４７は台形の形状を有しているが、四角形、円形、三角形等、その他の形状を有していてもよい。回動アーム３７は、嵌合孔４７Ａが、反対側のサイドカバー２５に取り付けられた回動アーム３７側を向くように取り付けられる。収容空間２３Ａを介して向かい合う回動アーム３７の嵌合孔４７Ａには、長尺状の支柱４８の一端及び他端が内嵌される。回動アーム３７が支柱４８で連結されることによって、回動アーム３７を安定且つ同期させて回転させることができる。当接部４７のうち屈曲部５１側と反対側の面は、当接面４７Ｂとして機能する。当接面４７Ｂは、カバー部材３０が開放位置に配置されたときに、トレー２４の第１緩衝部材２４Ｃを介してトレー２４の側壁部２４Ｂに接する。側壁部２４Ｂは、カバー部材３０が閉塞位置に配置されたときに、回動アーム３７を介してカバー部材３０を支持するとともに、回動アーム３７の回動を規制する。
【００３１】
図４中、右側に示すように、摺動アーム３５は、細長状に形成され、一方の端部に突部３５Ａを有する。突部３５Ａ及び突部３５Ａと反対側の端部には軸挿通孔４６が設けられている。
【００３２】
摺動アーム３５のうち、突部３５Ａと反対側の端部の軸挿通孔４６には、第１軸４１が、摺動アーム３５に対して相対的に回動可能に挿通されている。この第１軸４１は、第１案内溝３１内に設けられ、第１案内溝３１内を摺動する。また、摺動アーム３５の突部３５Ａ及び支持アーム３６Ａの先端部には、摺動部としての第２軸４２が、摺動アーム３５及び支持アーム３６Ａに対して相対的に回動可能に挿通されている。第２軸４２は、第２案内溝３２内に設けられ、第２案内溝３２に沿って摺動する。さらに、支持アーム３６Ａの基端部及び回動アーム３７の他方の端部には、ピン４３が、支持アーム３６Ａ及び回動アーム３７に対して相対的に回動可能に挿通されている。
【００３３】
図５に示すように、第１案内溝３１には、一方の摺動アーム３５と他方の摺動アーム３５とに挿通された第１軸４１が摺動可能に設けられる。また、第１軸４１の下端部であって、サイドカバー２５の表面側には、ダンパー５５が設けられる。ダンパー５５は、ケース７１に、ケース７１内を上下動する軸部５６と、軸部５６の移動に伴い流動する流体とを備えた軸ダンパーであって、軸部５６の頭部が第１軸４１の下端部に位置するように設けられる。第１軸４１は、第１案内溝３１の上端部から下端部に下降したとき、軸部５６の頭部に当接する。ダンパー５５は、第１案内溝３１に沿って下降する第１軸４１に対して制動力を付与する。
【００３４】
また、一方の第２案内溝３２には、一方の摺動アーム３５と一方の支持アーム３６Ａとに挿通された第２軸４２が摺動可能に設けられる。さらに、他方の第２案内溝３２には、他方の摺動アーム３５と他方の支持アーム３６Ａとに挿通された第２軸４２が摺動可能に設けられる。
【００３５】
次に図６〜図８を参照して、配線カバー装置の動作について説明する。
図６は、蓋部５０が閉塞位置に配置された状態を示す。蓋部５０の表面の高さは、天板１２の表面の高さと同じか、天板１２の表面に対して若干低くなっている。閉塞位置の蓋部５０は、トレー２４の鍔部３９によって支持されている。閉塞位置に配置された１対の蓋部５０の間には、ユーザの指を屈曲部５１に引っ掛けることが可能な隙間６５が設けられている。また、この隙間６５を介して、収容空間２３Ａに収容されたケーブル１００を天板１２側に引き出すことができる。
【００３６】
摺動アーム３５の第１軸４１は、第１案内溝３１の鉛直方向下方の始端６０に位置する。このとき、第１軸４１は、ダンパー５５の軸部５６に当接している状態であるため、始端６０近傍に位置していてもよい。図中左側の第２軸４２は、第２案内溝３２の右側の端部である始端６１に位置する。図中右側の第２軸４２は、第２案内溝３２の左側の端部である始端６１に位置する。
【００３７】
回動アーム３７の回動軸４４は、第２案内溝３２の始端６１と反対側の終端側に位置し、回動アーム３７及びカバー部材３０の支持アーム３６Ａに挿通されたピン４３は、水平方向において回動軸４４よりも第２案内溝３２の始端６１側に位置する。そのため、カバー部材３０が閉塞位置に配置されたとき、回動アーム３７は水平方向において第２案内溝３２の始端６１側に傾いた姿勢となる。
【００３８】
蓋部５０を開放するときには、ユーザが隙間６５に指を差し入れて、蓋部５０に対し、水平方向であってトレー２４の外側へ向かう方向、及び鉛直方向上方へ向かう方向の少なくとも一方の方向に力を加える。各カバー部材３０は、第１軸４１を介して連結されているため、蓋部５０を開く際には一対の蓋部５０のうち少なくとも一方に力を加えればよい。
【００３９】
図７に示すように、一方の蓋部５０を開放するための外力が加わると、移動機構４０が作動する。すなわち、蓋部５０に連結された支持アーム３６Ａを介して、第２軸４２が第２案内溝３２の始端６１から終端６３に向かって摺動する。第２案内溝３２は始端６１から終端６３に向かって斜め上方に延在しているため、蓋部５０は、支持アーム３６Ａとともに斜め上方にスライドする。このように蓋部５０が斜め上方に移動することによって、蓋部５０を天板１２と当接しないように水平方向に移動させることができる。
【００４０】
また、回動アーム３７は、第２案内溝３２の始端６１側に傾いた姿勢から回動し、その長手方向と鉛直方向と平行となる直立姿勢に近づいていく。回動アーム３７の回動軸４４とピン４３との間の距離は一定であるため、回動アーム３７が直立姿勢に近づくにつれ、蓋部５０が鉛直方向上側に持ち上げられ、開口部２１からの高さ位置が高くなる。一方、カバー部材３０は、第２軸４２に沿って斜め上方に摺動しているので、蓋部５０は、その屈曲部５１と反対側の端部が持ち上げられた斜めの姿勢となる。そのため、蓋部５０と天板１２とがより当接しにくくなる。
【００４１】
また、第２軸４２の移動に伴い、その第２軸４２を挿通した摺動アーム３５は、第１軸４１を中心に回動するとともに、第１軸４１が第１案内溝３１に沿って下降する。第１軸４１を挿通した他方の摺動アーム３５は、第１軸４１の下降に伴い、もう一つの摺動アーム３５に接近する方向に向かって回動する。これにより、他方のカバー部材３０の蓋部５０も開放位置に向かって移動する。
【００４２】
図８に示すように、蓋部５０が開放位置に配置されたとき、第１軸４１は第１案内溝３１の終端６２に位置し、第２軸４２は、第２案内溝３２の終端６３（図７参照）に位置する。またこのとき、回動アーム３７は、ピン４３が挿入された先端部がトレー２４側（外側）に傾いた姿勢となり、当接部４７の当接面４７Ｂが第１緩衝部材２４Ｃに当接する。このとき、第１緩衝部材２４Ｃによって、当接部４７とトレー２４との当接による衝撃が緩和される。また、当接部４７と第１緩衝部材２４Ｃを介したトレー２４との当接により、回動アーム３７の外側への回動が規制されるとともに、回動アーム３７が支持される。そして、このようにカバー部材３０が回動アーム３７を介してトレー２４によって支持されることにより、開放位置でのカバー部材３０の姿勢を安定させることができる。
【００４３】
蓋部５０が開放位置に配置されたとき、蓋部５０は第２緩衝部材５０Ａを介して天板１２に当接する。このため、蓋部５０と天板１２とが当接するときの衝撃を緩和することができる。また、一対の蓋部５０の間の開口面積は最大となり、蓋部５０の間の開口を介してケーブル１００を差しこんだり、引き出したりする操作が可能となる。また、蓋部を天板１２の表面に対して垂直に立てる構成の配線カバー装置においては、蓋部側から収容空間２３Ａに手を差し込むときに、蓋部が邪魔になる。また、収容空間２３Ａからケーブル１００を蓋部側に引き出す場合には、立てた蓋部の上端までケーブル１００を延ばし、蓋部の上端を乗り越えるようにケーブル１００を配線しなければならない。これに対し、本実施形態の配線カバー装置２０は、開放位置の蓋部５０が天板１２と平行又は略平行に配置されるため、収容空間２３Ａ内に手を差し込みやすい。また、収容空間２３Ａから引き出したケーブル１００は、天板１２に沿って伏した状態となった蓋部５０の表面に這わせるように延ばせばよい。
【００４４】
次に図６及び図８を参照して、蓋部５０を開放位置から閉塞位置に移動させる動作について説明する。
図８に示すように、開放位置に配置された蓋部５０の少なくとも一方に対し、閉塞位置に移動させるための外力が加えられると、第２軸４２は、第２案内溝３２に沿って始端６１に向かって移動する。また、第２軸４２の移動により、摺動アーム３５が回動し、摺動アーム３５に連結された第１軸４１が第１案内溝３１に沿って始端６０に向かって移動する。
【００４５】
図６に示すように、第１軸４１は、終端６２から始端６０に向かう途中で、ダンパー５５の軸部５６に当接する。このとき、ダンパー５５によって、第１軸４１を介してカバー部材３０に制動力が付与される。このようにカバー部材３０に制動力が加えられることにより、蓋部５０が閉塞位置に接近した際にカバー部材３０が滑らかに移動する。また、回動アーム３７とトレー２４とが当接するときの衝撃も抑制される。カバー部材３０の移動に伴う衝撃が抑制されることにより、部品同士の当接により生じる音や、カバー部材３０の移動中に発生する音を含む動作音も小さくすることができる。
【００４６】
このように、配線カバー装置２０では、開放位置の蓋部５０が天板１２に沿って配置された状態となる。したがって、収容部２３内に蓋部５０を収容するためのスペースを確保しなくてもよいため、収容部２３が水平方向に大型化することを抑制できる。又は、収容部２３の収容空間に蓋部５０を収容するためのスペースを確保することによる収容空間の縮小を防ぐことができる。さらに、蓋部５０が開口部２１の上方を移動するので、蓋部５０と収容空間内のケーブルや接続機器等が干渉しない。また、蓋部５０は、開放位置においても蓋部５０の閉塞面５３が見えず、蓋部５０はフラットな状態で配置されるので、見栄えがよい。
【００４７】
蓋部５０自体を回動させずに閉塞位置から開放位置まで移動させる機構としては、２軸の平行リンク等を用いたリンク機構を採用することも考えられる。しかし、そのようなリンク機構においては、平行リンクが独立して移動するために平行リンクの動きが不安定になる。また、蓋部５０を閉塞位置及び開放位置の間で移動可能としつつ、一方の蓋部５０を支持する平行リンクの移動軌跡が、他方の蓋部５０を支持する平行リンクや天板１２と重ならないようにすると、移動機構が大型化したり、平行リンクが長くなりやすい。これに対し、上記した移動機構４０では、摺動アーム３５、支持アーム３６Ａ、及び回動アーム３７がサイドカバー２５に支持されるので、動作を安定させることができる。また、部品同士の干渉も抑制できるので、移動機構の大型化も抑制することができる。
【００４８】
以上説明したように、上記実施形態によれば、以下に列挙する効果が得られるようになる。
（１）閉塞位置に配置された蓋部５０に対し外力が加えられることによって、支持アーム３６Ａに支持された第２軸４２が、閉塞位置から開口部の外側の開放位置に向かう方向に延在する第２案内溝３２に沿って摺動する。これにより、閉塞位置に配置された蓋部５０が水平方向に移動して開放位置に移動される。開放位置に配置された蓋部５０は、閉塞面５３が天板１２に当接し、天板１２に沿って配置された状態となる。したがって、開放位置に配置された蓋部５０が起立しないため、収容空間２３Ａに手を差し込みやすくなるとともに、開口部２１の外側で伏した状態の蓋部５０に沿ってケーブルを配線することができる。そのため、ユーザの使い勝手を向上させることができる。
【００４９】
（２）第２案内溝３２は、蓋部５０が閉塞位置にあるとき始端６１から、蓋部５０が開放位置にあるときの終端６３に向かうに伴い鉛直方向に位置するように、斜め上方に延在する。そのため、閉塞位置に配置された蓋部５０と天板１２の表面とを同一の高さになるようにしても、蓋部５０を天板１２に当接しないように移動させることができる。
【００５０】
（３）回動アーム３７は、その一方の端部がサイドカバー２５に支持され、他方の端部がカバー部材３０に接続されているので、カバー部材３０の閉塞位置及び開放位置の間の移動を安定させることができる。
【００５１】
（４）一対のカバー部材３０は、第１軸４１を介して連結されているため、一方のカバー部材３０に対してのみ外力が加えられた場合であっても、他方のカバー部材３０を従動させることができる。
【００５２】
なお、上記実施形態は、以下のように適宜変更して実施することもできる。
・図９及び図１０に示すように、回動アーム３７は、当接部４７を省略した構成であってもよい。開放位置においては、回動アーム３７とトレー２４とが当接することによって、開放位置のカバー部材３０の姿勢を安定させることができる（図１０参照）。
【００５３】
・図９に示すように、軸ダンパーに代えて、若しくは軸タンパーに加えて、回動アーム３７の回動軸にロータリーダンパー７０を設けるようにしてもよい。ロータリーダンパー７０は、ケース７１に収容され、ケース７１はサイドカバー２５に固定されている。また、軸ダンパーやロータリーダンパー等のダンパーを、第２軸４２や、蓋部５０等に設けるようにしてもよい。このようにしても、カバー部材３０の動作を滑らかとし、配線カバー装置２０に高級感をもたせることができる。
【００５４】
・図９及び図１０に示すように、回動アーム３７の先端部に、蓋部５０に当接する摺接面を設けてもよい。回動アーム３７は回動軸４４を中心に回動するため、摺接面における蓋部５０との摺接位置は、回動に伴い変化する。そのため、摺接面の形状を適宜変更することにより、蓋部５０の姿勢を水平にしたり、斜めの姿勢にしたりすることができる。そのため、蓋部５０と天板１２との衝突を避けることが可能な形状にすることができる。
【００５５】
・上記実施形態では、１対の摺動アーム３５には、第１案内溝３１を摺動する共通の第１軸４１が挿通されるようにした。これ以外の態様として、サイドカバー２５に１対の第１案内溝３１を形成し、摺動アーム３５の各々に支持される第１軸４１が第１案内溝３１を摺動するようにしてもよい。この態様によれば、カバー部材３０をそれぞれ独立させて動作させることが可能である。
【００５６】
・配線カバー装置２０に設けられる蓋部５０は、１つでもよい。この態様においては、サイドカバー２５に第２案内溝３２が１つ設けられ、第２軸４２、支持アーム３６Ａ、回動アーム３７が１つずつ設けられる。この態様においても、ユーザの使い勝手を向上させることができる。
【００５７】
・移動機構４０は、例えば、ガスダンパーなど、カバー部材３０側、収容部２３側に両端が固定され、その両端の相対位置を変更可能な部材から構成してもよい。ガスダンパーは、管状部と、管状部の内部にロッドと一体で軸方向に摺動するピストンとを備える。ピストンによってチューブ内部は、オリフィスによって連通した２つの空間に分けられ、この両室には圧縮ガスが充填されている。空間の面積により、ロッドは伸びる方向に反発力を有している。このようにしても、開放位置に配置された蓋部を、天板１２に付した状態とすることができる。
【００５８】
・上記構成では、収容部２３は、サイドカバー２５とトレー２４とを備える構成としたが、サイドカバー２５（側壁部）だけを備え、机側にトレー２４に相当する壁部を設けてもよい。
【００５９】
・上記実施形態では、配線カバー装置２０をテーブル１０に適用したが、矩形状の天板のうち一側方にユーザが着座する机や、キャビネットなどの家具に適用してもよい。また、什器など、家具以外の対象物に適用してもよい。
【符号の説明】
【００６０】
１２…天板、１３…配線孔、２０…配線カバー装置、２１…開口部、２３…収容部、２３Ａ…収容空間、２４Ａ…底部、２４Ｂ…側壁部、２４…トレー、２５…支持壁としてのサイドカバー、３０…カバー部材、３１…第１案内溝、３２…第２案内溝、３５…摺動アーム、３６Ａ…支持アーム、３７…回動アーム、４０…移動機構、４１…第１軸、４２…摺動部としての第２軸、４３…ピン、５０…蓋部、５３…閉塞面、５５…ダンパー。
【図１】
0006687363.tif 000002
【図２】
0006687363.tif 000003
【図３】
0006687363.tif 000004
【図４】
0006687363.tif 000005
【図５】
0006687363.tif 000006
【図６】
0006687363.tif 000007
【図７】
0006687363.tif 000008
【図８】
0006687363.tif 000009
【図９】
0006687363.tif 000010
【図１０】
0006687363.tif 000011